(57)【要約】【課題】  ３以上の複数の押圧操作部を有するリングキーを具えたキー入力装置において、リングキーの１つの押圧操作部を押圧したとき、該押圧操作部の直下に位置するドーム部のみを反転させ、他のドーム部の反転を確実に阻止する。【解決手段】  本発明に係るキー入力装置においては、ベース板３の表面にドームシート４を介してキーシート５が設置され、該キーシート５の表面に４つの押圧操作部13b、13cを有するリングキー13が設置されている。ドームシート４には、リングキー13の押圧操作部13b、13cのそれぞれに向かって膨らんだ４つのドーム部44、45が形成されている。キーシート５の裏面には、ドームシート４の各ドーム部に向けて突出する４つの押し子54、55が突設されると共に、互いに隣接する２つのドーム部によって挟まれた４つの位置のそれぞれに、ドームシート４に向かって突出する４つのボス62が突設されている。【選択図】      図７(ｂ)
2005044671.tif 000002
【特許請求の範囲】
【請求項１】
３以上の複数の押圧操作部を有して各押圧操作部に対する押圧操作によって揺動すべきリングキー(13)を具えたキー入力装置であって、ベース板(３)の表面にドームシート(４)を介してキーシート(５)が設置され、ドームシート(４)には、前記リングキー(13)の複数の押圧操作部のそれぞれに向かって膨らんだ複数のドーム部(43)(44)(45)(46)が形成され、キーシート(５)は弾性材料から形成され、該キーシート(５)の裏面には、ドームシート(４)の複数のドーム部のそれぞれに向けて突出する複数の押し子(53)(54)(55)(56)が設けられ、該キーシート(５)の表面に前記リングキー(13)が設置され、リングキー(13)の１つの押圧操作部に対する押圧操作によって１つのドーム部が弾性復帰可能に反転して１つのキー接点が閉じられるキー入力装置において、キーシート(５)とドームシート(４)の対向面間には、互いに隣接する２つのドーム部によって挟まれた複数の位置のそれぞれに、押圧操作によるリングキー(13)の揺動の支点となるボスが介在していることを特徴とするキー入力装置。
【請求項２】
前記ボスは、キーシート(５)のドームシート(４)との対向面に一体成型によって突設されている請求項１に記載のキー入力装置。
【請求項３】
前記ボスは、リングキー(13)の押圧操作部の数と同数だけ設けられ、各ボスが、互いに隣接する２つのドーム部の間に配置されている請求項１又は請求項２に記載のキー入力装置。
【請求項４】
前記ボスはそれぞれ、互いに隣接する２つのドーム部を結ぶ直線と交差する位置に配置されている請求項１乃至請求項３の何れかに記載のキー入力装置。
【請求項５】
前記ボスはそれぞれ、リングキー(13)に押圧操作力が作用しない状態におけるキーシート(５)とドームシート(４)の対向面間の距離よりも小さな高さを有している請求項１乃至請求項４の何れかに記載のキー入力装置。
【発明の詳細な説明】
【技術分野】
【０００１】
本発明は、携帯電話機などの電子機器に装備されるキー入力装置に関するものである。
【背景技術】
【０００２】
従来、携帯電話機においては、複数のドームスイッチが配備されたベース板上に、前後左右に揺動可能なシーソー式操作キーを配備して、該シーソー式操作キーの操作によって、複数のドームスイッチの中の１つを選択的に押下することが可能なものが知られている。
【０００３】
例えば図１１及び図１２に示す多方向スイッチ(特許文献１)は、十字型の操作キー(８)を具え、該操作キー(８)は、十字状に突出した４つの押圧操作部(81)〜(84)を有すると共に各押圧操作部(81)〜(84)の間に第１乃至第４鍔部(86)〜(89)を具えており、操作キー(８)の表面は筐体(９)から露出している。
操作キー(８)の裏面は、筐体(９)の内部に配備されたベース板(90)の表面と対向しており、該裏面の中心位置には、ベース板(90)に向かって突出する直方体状の軸部(85)が形成されている。ベース板(90)の表面には、操作キー(８)の４つの押圧操作部(81)〜(84)のそれぞれに向かって膨らんだ第１乃至第４ドームスイッチ(95a)〜(95d)が配備されている。各ドームスイッチ(95a)〜(95d)の内面には接触端子(96)が配備されると共に、ベース板(90)には４つの接触端子(96)のそれぞれと対向する位置に４つの接触電極(97)が配備されている。
又、筐体(９)の内面には、操作キー(８)の第１乃至第４鍔部(86)〜(89)の表面とそれぞれ対向する位置に、第１乃至第４凸部(91)〜(94)が形成されており、これらの凸部(91)〜(94)の先端は操作キー(８)の第１乃至第４鍔部(86)〜(89)とそれぞれ接触している。
【０００４】
該多方向スイッチにおいては、図１２に示す如く、例えばユーザが操作キー(８)の右押圧操作部(82)を押圧した場合、先ず、操作キー(８)は左押圧操作部(84)の両側に位置している第２鍔部(88)及び第３鍔部(89)と接触している第２凸部(93)及び第３鍔部(94)を支点として揺動し、これによって、右押圧操作部(82)が第２ドームスイッチ(95b)を押下する一方、左押圧操作部(84)が僅かに第４ドームスイッチ(95c)から離間し、軸部(85)の裏面の右押圧操作部(82)に近い１辺がベース板(90)と接触する。
【０００５】
この状態で更に右押圧操作部(82)を押圧すると、操作キー(８)は、前記２つの凸部(93)(94)を第１の支点とすると共に軸部(85)の底面の前記１辺を第２の支点として揺動することとなり、これによって、右押圧操作部(82)が第２ドームスイッチ(95b)を更に押下し、この結果、該ドームスイッチ(95b)が弾性復帰可能に反転し、接触端子(96)が接触電極(97)に接触して接点が閉じられる。
【０００６】
該多方向スイッチにおいては、上述の如く１つの押圧操作部を押圧した場合、操作キー(８)は最終的に、軸部(85)を挟んで前記１つの押圧操作部とは反対側に位置する筐体(９)の２つの凸部及び軸部(85)裏面の前記１つの押圧操作部に近い１辺を支点として揺動するため、前記１つの押圧操作部の直下に位置するドームスイッチと該押圧操作部とは反対側の押圧操作部の直下に位置するドームスイッチとが同時に押圧されることはない。従って、これら２つのドームスイッチの接点が同時に閉じられることはない。
【特許文献１】特開２０００−２４３１８８号公報[H04M1／02]
【発明の開示】
【発明が解決しようとする課題】
【０００７】
しかしながら、上記多方向スイッチにおいて、操作キー(８)の１つの押圧操作部を押圧した場合、操作キー(８)は、軸部(85)を挟んで該押圧操作部とは反対側に位置する筐体(９)の２つの凸部と操作キー(８)の軸部(85)裏面の１辺とからなる３点を支点として揺動するので、上述の如く例えば右押圧操作部(82)を押圧した場合、右押圧操作部に隣接する２つの押圧操作部(81)(83)も僅かに降下して、対応するドームスイッチ(95a)(95c)をそれぞれ僅かに押圧することになる。このとき、右押圧操作部(82)を押圧する力の大きさによっては、前記２つの押圧操作部(81)(83)が対応するドームスイッチ(95a)(95c)を深く押下し、これによって、これらのドームスイッチ(95a)(95c)の接点が右押圧操作部(82)直下のドームスイッチ(95b)の接点と同時に閉じられて、誤作動が発生する問題があった。
【０００８】
そこで本発明の目的は、３以上の複数の押圧操作部を有するリングキーを具えたキー入力装置において、リングキーの１つの押圧操作部を押圧したとき、該押圧操作部の直下に位置するドーム部のみを反転させ、他のドーム部の反転を確実に阻止することの出来るキー入力装置を提供することである。
【課題を解決するための手段】
【０００９】
本発明に係るキー入力装置は、３以上の複数の押圧操作部を有して各押圧操作部に対する押圧操作によって揺動すべきリングキー(13)を具えており、ベース板(３)の表面にドームシート(４)を介してキーシート(５)が設置されている。ドームシート(４)には、前記リングキー(13)の複数の押圧操作部のそれぞれに向かって膨らんだ複数のドーム部(43)(44)(45)(46)が形成されている。キーシート(５)は弾性材料から形成され、該キーシート(５)の裏面には、ドームシート(４)の複数のドーム部のそれぞれに向けて突出する複数の押し子(53)(54)(55)(56)が設けられ、該キーシート(５)の表面に前記リングキー(13)が設置されている。リングキー(13)の１つの押圧操作部に対する押圧操作により１つのドーム部が弾性復帰可能に反転して１つのキー接点が閉じられる。
ここで、キーシート(５)とドームシート(４)の対向面間には、互いに隣接する２つのドーム部によって挟まれた複数の位置のそれぞれに、押圧操作によるリングキー(13)の揺動の支点となるボスが介在している。
【００１０】
上記本発明のキー入力装置において、リングキー(13)の１つの押圧操作部を押圧すると、キーシート(５)が押圧力を受けて変位し、これに伴って、該押圧操作部の下方に位置する押し子が、その下方に位置するドーム部を押下する。これによって、該ドーム部が弾性復帰可能に反転し、１つのキー接点が閉じられる。
【００１１】
上記のリングキー(13)に対する押圧操作によって、リングキー(13)は揺動して押圧力の作用点が最も深く沈み込み、その下方に位置する押し子が大きく降下するが、例えばユーザの押圧操作位置が所定の押圧操作部から僅かにずれた場合には、リングキー(13)の揺動に伴って、該押し子に隣接する押し子も僅かに降下することになる。ここで、隣接する押し子の降下によって該押し子の下方に位置するドーム部が押圧されると、該ドーム部も同時に反転する虞があるが、２つのドーム部の間にはボスが介在しており、リングキー(13)は該ボスを支点して揺動するので、押圧操作位置の下方に位置する押し子は大きく降下するが、該ボスを挟んで反対側に位置する押し子は殆ど降下せず、或いは僅かに浮き上がることになる。従って、該押し子の下方に位置するドーム部には大きな押圧力は作用せず、該ドーム部が同時に反転する虞はない。
【００１２】
具体的構成において、前記ボスは、キーシート(５)のドームシート(４)との対向面に一体成型によって突設されている。
該具体的構成によれば、ボスがキーシート(５)と同じく弾性材料から形成されているので、リングキー(13)の１つの押圧操作部に対する押圧操作力によってボスが僅かに圧縮されることになる。該圧縮に伴ってキーシート(５)は全体的に僅かに沈み込むが、該ボスが支点となってリングキー(13)が揺動するので、該ボスを押圧すべき押し子は降下し、該ボスに隣接するボスを押圧すべき押し子は相対的に浮き上がることになる。従って、該押し子の下方に位置するドーム部が同時に反転する虞はない。
【００１３】
又、具体的構成において、前記ボスは、リングキー(13)の押圧操作部の数と同数だけ設けられ、各ボスが、互いに隣接する２つのドーム部の間に配置されている。
該具体的構成によれば、何れの押圧操作部を押圧操作した場合にも、その押圧操作部の直下に位置するドーム部と該ドーム部の両側に位置する２つのドーム部との間にはそれぞれボスが配置されているので、これら２つのボスを支点としてリングキー(13)が揺動し、これによって前記２つのドーム部の同時反転が防止される。
【００１４】
又、他の具体的構成において、前記ボスはそれぞれ、互いに隣接する２つのドーム部を結ぶ直線と交差する位置に配置されている。
該具体的構成によれば、互いに隣接する２つのドーム部の内、何れか一方のドーム部を押圧すべき押し子が押圧操作力の作用によって降下した場合において、他方のドーム部を押圧すべき押し子の相対的な浮き上がり量を最大限に増大させ、或いは該押し子の降下量を最小限に抑えることが出来る。
【００１５】
更に具体的な構成において、前記ボスはそれぞれ、リングキー(13)に押圧操作力が作用しない状態におけるキーシート(５)とドームシート(４)の対向面間の距離よりも小さな高さを有している。
該具体的構成によれば、リングキー(13)の１つの押圧操作部に対する押圧操作力によってキーシート(５)が変位する過程の前半では、ボスは、キーシート(５)とドームシート(４)の間に遊びをもって介在しているので、該押圧操作部の直下に位置する押し子の降下に抵抗力を及ぼすことはない。
その後、キーシート(５)の変位過程の後半では、キーシート(５)の変位によってボスがキーシート(５)とドームシート(４)の間に挟圧された状態となり、該ボスを支点として、リングキー(13)が揺動する。この結果、押圧操作位置の下方に位置する押し子は大きく降下する一方、該ボスを挟んで該押し子とは反対側に位置する押し子は殆ど降下せず、或いは相対的に僅かに浮き上がることになる。従って、該押し子の下方に位置するドーム部には大きな押圧力は作用せず、該ドーム部が反転する虞はない。
【発明の効果】
【００１６】
本発明に係るキー入力装置によれば、リングキーの１つの押圧操作部を押圧したとき、該押圧操作部の直下に位置するドーム部のみが反転して１つの接点が閉じられ、他のドーム部の反転は確実に阻止される。
【発明を実施するための最良の形態】
【００１７】
以下、本発明を折り畳み式携帯電話機に実施した形態につき、図面に沿って具体的に説明する。
本発明に係る折り畳み式携帯電話機は、図１に示す如く、本体キャビネット(１)と蓋体キャビネット(２)をヒンジ機構(10)を介して互いに開閉可能に連結して構成されている。本体キャビネット(１)は、前面キャビネット半体(15)と背面キャビネット半体(16)とを接合して構成されており、蓋体キャビネット(２)も同様のキャビネット構成を有している。
【００１８】
本体キャビネット(１)の表面には、複数の操作キー(11)が配列されると共に該操作キー(11)よりもヒンジ機構(10)側にリングキー(13)が配備され、該リングキー(13)の中心位置にはセンターキー(14)が配備されている。又、ヒンジ機構(10)と反対側の端部には送話部(12)が設けられている。
蓋体キャビネット(２)の表面には、メイン画面(21)が配備されると共に、ヒンジ機構(10)と反対側の端部に受話部(22)が設けられており、蓋体キャビネット(２)の背面には、図２に示す如く、サブ画面(23)が配備されると共に、該サブ画面(23)の近傍にカメラ窓(24)及びフラッシュ窓(25)が配備されている。
【００１９】
本体キャビネット(１)を構成する前面キャビネット半体(15)と背面キャビネット半体(16)の間には、図３に示す如く、基板アセンブリ(30)が配備され、該基板アセンブリ(30)の表面には、キーシート装置(40)が設置されている。該キーシート装置(40)の表面には、シリコンゴム製のキーシート(５)が配備されており、該キーシート(５)の表面には、前記複数の操作キー(11)が配列されると共に、前記リングキー(13)及びセンターキー(14)が配置されている。
又、前面キャビネット半体(15)には、複数の操作キー(11)を本体キャビネット(１)の表面に臨出させるための複数の窓(17)が形成されると共に、リングキー(13)及びセンターキー(14)を本体キャビネット(１)の表面に臨出させるための開口(18)が形成されている。
【００２０】
リングキー(13)は、図６に示す如く、センターキー(14)を中心としてその周囲に９０度の位相差をもって配置された４つの押圧操作部(13a)(13b)(13c)(13d)を有しており、第１の押圧操作部(13a)はヒンジ機構(10)に近接した位置に設けられ、第２の押圧操作部(13b)はセンターキー(14)の右側に設けられている。第３の押圧操作部(13c)は複数の操作キー(11)に近接した位置に設けられており、第４の押圧操作部(13d)はセンターキー(14)の左側に設けられている。
【００２１】
図３に示す如く、キーシート装置(40)は、平板状のベース板(３)の表面にドームシート(４)を接合して構成されており、ドームシート(４)には、前記キーシート(５)に向かって突出する複数のドーム部(41)が形成されている。該複数のドーム部(41)の中には、前記リングキー(13)の４つの押圧操作部の操作によって押下されるべき第１乃至第４ドーム部(43)〜(46)と、センターキー(14)の操作によって押下されるべき第５ドーム部(47)とが含まれており、各ドーム部(41)の内面には、図７に示す如く接触端子(49)が配備されている。
一方、ベース板(３)の表面には、前記複数の操作キー(11)、リングキー(13)及びセンターキー(14)に対応させて複数の接点電極(31)が形成されており、ドームシート(４)のドーム部(41)の反転によって、該ドーム部(41)の内面に形成された接触端子(49)が対応する接点電極(31)に接触することによって、接点が閉じられることになる。
【００２２】
キーシート(５)の裏面には、図４に示す如く、前記キーシート装置(40)のドーム部(41)を押圧すべき複数の押し子(51)が突設されている。これらの押し子(51)の中には、図６に示す第１乃至第４ドーム部(43)〜(46)上に位置する第１乃至第４押し子(53)〜(56)と、第５ドーム部(47)上に位置する第５押し子(57)とが含まれている。第１乃至第４押し子(53)〜(56)は、図７(ａ)に示す如く、押圧操作力の作用していない無荷重状態でその先端が第１乃至第４ドーム部(43)〜(46)にそれぞれ当接している。
【００２３】
又、図５に示す如く第１押し子(53)と第２押し子(54)の間には、これら２つの押し子(53)(54)の中心間を結ぶ直線の中点となる位置に、第１ボス(61)が突設されている。同様に、第２押し子(54)と第３押し子(55)との間には第２ボス(62)が突設され、第３押し子(55)と第４押し子(56)との間には第３ボス(63)が突設され、第４押し子(56)と第１押し子(53)との間には第４ボス(64)が突設されている。
第１乃至第４ボス(61)〜(64)、その突出高さが第１乃至第４押し子(53)〜(57)の突出高さよりも大きく、且つドームシート(４)とキーシート(５)の対向面間の距離よりも小さく形成されている。従って、無荷重状態のときに第１乃至第４ボス(61)〜(64)の先端がドームシート(４)に接触することはない(図７(ａ)参照)。
【００２４】
上記本発明のキー入力装置において、例えば図７(ａ)に示す無荷重状態からリングキー(13)の第３押圧操作部(13c)を押圧すると、図７(ｂ)に示す如く、キーシート(５)が押圧力Ｆを受けて変位し、これに伴って、該押圧操作部(13c)の下方に位置する第３押し子(55)が、その下方に位置する第３ドーム部(45)を押下する。これによって、第３ドーム部(45)が弾性復帰可能に反転し、該ドーム部(45)の内面に配備された接触端子(49)がベース板(３)上の対応する接触電極(31)に接触してキー接点が閉じられる。
【００２５】
上記のリングキー(13)の第３押圧操作部(13c)に対する押圧操作においては、押圧力の作用によってリングキー(13)が揺動し、押圧力の作用点である第３押圧操作部(13c)が最も深く沈み込み、これによってキーシート(５)は傾斜した姿勢に変位し、該変位に伴って、第３押圧操作部(13c)の下方に位置する第３押し子(55)が大きく降下すると共に、その両側に位置する第２ボス(62)及び第３ボス(63)も降下する。更に第３押圧操作部(13c)を押圧すると、第２ボス(62)の先端がドームシート(４)の表面に当接し、その後、第２ボス(62)は僅かに圧縮される。
【００２６】
その後、キーシート(５)は第２ボス(62)を支点として揺動することとなり、これによって第３押し子(55)が引き続き降下するのに対し、第２ボス(62)を挟んで反対側に位置する第２押し子(54)は相対的に僅かに浮き上がることとなる。従って、第２押し子(54)の下方に位置する第２ドーム部(44)に大きな押圧力が作用することはなく、該第２ドーム部(44)が第３ドーム部(45)と同時に反転する虞はない。
【００２７】
又、上述の第３押圧操作部(13c)の押圧操作においては、図６に示す第３ドーム部(45)と第４ドーム部(46)の間に介在する第３ボス(63)も第２ボス(62)と同様、その先端がベース板(３)と接触してリングキー(13)の揺動の支点となるので、第３押し子(55)は降下するのに対し、第３ボス(63)を挟んで反対側に位置する第４押し子(56)は相対的に僅かに浮き上がることとなる。従って、第４押し子(56)の下方に位置する第４ドーム部(46)には大きな押圧力は作用することはなく、該第４ドーム部(46)が第３ドーム部(45)と同時に反転する虞はない。
【００２８】
上述した第３押圧操作部(13c)についてのドーム部同時反転の防止効果は、他の押圧操作部(13a)(13b)(13d)についても得られる。即ち、何れの押圧操作部を押圧操作した場合にも、その押圧操作部の直下に位置する１つのドーム部と該ドーム部の両側に位置する２つのドーム部との間に介在する２つのボスを支点としてリングキー(13)が揺動し、これによって前記押圧操作部の下方に位置する押し子は降下する一方、各ボスを挟んで反対側に位置する２つのドーム部は相対的に僅かに浮き上がり、ドーム部の同時反転が防止される。
【００２９】
上述の同時反転防止効果を最大限に発揮することが出来るボスの位置について考察すると、例えば図８に示す第２押し子(54)及び第３押し子(55)とその間に介在する第２ボス(62)については、両押し子(54)(55)の中心を結ぶ直線Ｌと交差する位置に第２ボス(62)を配置することが望ましい。即ち、該直線Ｌと該直線Ｌに平行な第２ボス(62)の接線との間隔をａ、第２ボス(62)の直径をｄとしたときに、下記数１が成立することが望ましい。
【００３０】
(数１)
ｄ≧ａ≧０
【００３１】
上記数１の範囲を越えて配置されたボス(62)は、両側の２つの押し子(54)(55)から大きく離れることとなり、過度に大きく離れた場合には、一方の押し子の直下に位置するドーム部に対する押圧動作において該ボスの揺動支点としての機能が低下し、２つのドーム部(44)(45)の同時反転を確実に防止することが出来ない。
【００３２】
又、図８に示す如く、第２ボス(62)は第２押し子(54)と第３押し子(55)から出来るだけ等しい距離に配置することが望ましい。即ち、両押し子(54)(55)の中心を結ぶ直線Ｌの垂直２等分線と、該垂直２等分線と平行な第２ボス(62)の接線との間隔をｂ、第２ボス(62)の直径をｄとしたとき、下記数２が成立することが望ましい。
【００３３】
(数２)
ｄ≧ｂ≧０
【００３４】
上記数２の範囲を越えて配置されたボス(62)は、その両側の２つの押し子(54)(55)の内、一方の押し子(54)に大きく近接することとなり、過度に大きく接近した場合には、一方の押し子の直下に位置するドーム部に対する押圧動作において該ボスの揺動支点としての機能が低下し、２つのドーム部(44)(45)の同時反転を確実に防止することが出来ない。
【００３５】
更に、各ボスの突出高さｈは、図１０に示すキーシート(５)とドームシート(４)の対向面間の距離Ｈよりも小さく、且つ該距離Ｈの２分の１よりも大きいことが望ましい。
これによって、リングキー(13)の１つの押圧操作部、例えば第３押圧操作部(13c)に対する押圧操作力によってキーシート(５)が変位する過程の前半では、ボス(62)の先端は、ドームシート(４)の表面に接触することはなく、該押圧操作部の直下に位置する一方の押し子(55)の降下に抵抗力を及ぼすことはない。又、キーシート(５)の変位過程の後半では、キーシート(５)全体の降下によって他方の押し子(54)が直下のドーム部(44)を反転させるよりも先にボス(62)の先端がドームシート(４)に接触することにより、該ボス(62)がリングキー(13)の揺動動作の支点となる。従って、押圧操作に過大な力は不要であり、然もボス(62)による２つのドーム部(44)(45)の同時反転防止の効果が十分に発揮される。
【００３６】
上述の如く本発明に係る折り畳み式携帯電話機によれば、リングキー(13)の１つの押圧操作部を押圧したとき、リングキー(13)は、前記押圧操作部の直下に位置するドーム部とその両側に位置する２つドーム部との間に位置する２つのボスを支点として揺動するので、前記押圧操作部に大きな押圧力が作用したとしても、該押圧操作部の直下に位置するドーム部のみが反転して１つの接点が閉じられ、他のドーム部の反転は確実に阻止される。
【００３７】
尚、本発明の各部構成は上記実施の形態に限らず、特許請求の範囲に記載の技術的範囲内で種々の変形が可能である。例えば本発明は、折り畳み式携帯電話機に限らず、一対のキャビネットをスライド可能に連結したスライド式携帯電話機や、単一のキャビネットを具えたストレートタイプの携帯電話機に実施することも可能であり、更には、リングキーを含むキー操作部を具えた種々の小型電子機器に実施することも可能である。
【図面の簡単な説明】
【００３８】
【図１】本発明に係る折り畳み式携帯電話機の蓋体キャビネットを開いた状態を示す斜視図である。
【図２】該折り畳み式携帯電話機の蓋体キャビネットを閉じた状態を示す斜視図である。
【図３】本体キャビネットの分解斜視図である。
【図４】キーシートの裏面を示す斜視図である。
【図５】キーシートの裏面の要部を拡大して示す斜視図である。
【図６】リングキー及びセンターキーを拡大して示す平面図である。
【図７（ａ）】図６のＢ−Ｂ線に沿う断面図である。
【図７（ｂ）】リングキーの１つの押圧操作部を押圧した状態を示す同上の断面図である。
【図８】押し子とボスの第１の位置関係を説明する平面図である。
【図９】押し子とボスの第２の位置関係を説明する平面図である。
【図１０】ボスの突出高さとシート間距離の関係を説明する断面図である。
【図１１】従来の多方向スイッチを示す平面図である。
【図１２】該多方向スイッチの断面図である。
【符号の説明】
【００３９】
(１)  本体キャビネット
(10)  ヒンジ機構
(13)  リングキー
(13a) 第１押圧操作部
(13b) 第２押圧操作部
(13c) 第３押圧操作部
(13d) 第４押圧操作部
(３)  ベース板
(31)  接触電極
(４)  ドームシート
(43)  第１ドーム部
(44)  第２ドーム部
(45)  第３ドーム部
(46)  第４ドーム部
(47)  第５ドーム部
(49)  接触端子
(５)  キーシート
(53)  第１押し子
(54)  第２押し子
(55)  第３押し子
(56)  第４押し子
(57)  第５押し子
(61)  第１ボス
(62)  第２ボス
(63)  第３ボス
(64)  第４ボス
【図１】
2005044671.tif 000003
【図２】
2005044671.tif 000004
【図３】
2005044671.tif 000005
【図４】
2005044671.tif 000006
【図５】
2005044671.tif 000007
【図６】
2005044671.tif 000008
【図７（ａ）】
2005044671.tif 000009
【図７（ｂ）】
2005044671.tif 000010
【図８】
2005044671.tif 000011
【図９】
2005044671.tif 000012
【図１０】
2005044671.tif 000013
【図１１】
2005044671.tif 000014
【図１２】
2005044671.tif 000015